(57)【要約】【課題】操作性を向上させることができ、机などの下方に収納された場合でも、ワゴンの引出し部以外に、必要書類、本あるいは仕事や作業に必要な道具などを十分に収納することができるワゴンを提供する。【解決手段】ワゴン１０には一方側に開放するとともに開放した方向に対して略垂直方向に貫通する空間部２２が形成されているため、空間部２２が開放する側から机２６の天板２８を空間部２２の内側に挿入することができる。このため、ユーザは、ワゴン１０の空間部２２に机２６の天板２８を挿入した状態でワゴン１０を机２６の天板２８の下方に収納することができる。【選択図】      図３
2007135784.tif 000002
【特許請求の範囲】
【請求項１】
移動手段が取り付けられているワゴンであって、
一方側に開放するとともに開放した方向に対して略垂直方向に貫通し、机の一部が挿入される空間部が形成されていることを特徴とするワゴン。
【請求項２】
前記空間部は、物品を支持する支持部により区画形成されていることを特徴とする請求項１に記載のワゴン。
【請求項３】
物品を収納し、前記空間部の開放側と反対側に引き出される引出し部が設けられていることを特徴とする請求項１又は２に記載のワゴン。
【請求項４】
前記引出し部は、本体部に設けられており、
前記支持部は、前記空間部の開放側と反対側に位置する前記本体部から上方に向かって略垂直に延在する第１延在部と、前記第１延在部の先端部又はその近傍から前記空間部の開放側に向かってかつ前記第１延在部の延在方向に対して略直交するように延在する第２延在部と、で構成されていることを特徴とする請求項３に記載のワゴン。
【請求項５】
前記第２延在部の先端部側には、把持可能なハンドルが取り付けられていることを特徴とする請求項４に記載のワゴン。
【発明の詳細な説明】
【技術分野】
【０００１】
本発明は、移動可能なワゴンに関する。
【背景技術】
【０００２】
従来からオフィッスなどでは、キャスタ付のワゴンがよく用いられている。この種のワゴンでは、机の下方に収納できるように、高さの低いものが主流である。このため、ユーザがワゴンを移動させるときに、ワゴンを操作し難いという問題が生じていた。
【０００３】
また、ワゴンの操作性を良くするために、ワゴンの高さを所定以上の高さとなるように設定すると、机で仕事や作業をするときにワゴンが机の下方に収納できなくなり、使い勝手が不便であった。
【０００４】
また、ワゴンの操作性を向上させるために、高さの低いワゴンにハンドルを取り付けたものが知られている。これにより、ハンドル操作することにより、ワゴンを移動させ易くすることができ、操作性が格段に向上する。
【特許文献１】特開２００４−２０２１７６号公報
【発明の開示】
【発明が解決しようとする課題】
【０００５】
ところで、ハンドルを単にワゴンに取り付けただけでは、ワゴンを机の下方に収納させる際に、ハンドルが目障りになり、場合によってはハンドルが仕事や作業に支障をきたすことになる。
【０００６】
また、ワゴンを机の下方に収納させて、机で仕事や作業をする際には、ワゴンの引出し部以外に、必要書類、本あるいは仕事や作業に必要な道具などを載せておく部位が無くなるため、仕事や作業の効率が低下する問題がある。
【０００７】
そこで、本発明は、上記事情を考慮し、操作性を向上させることができ、机などの下方に収納された場合でも、ワゴンの引出し部以外に、必要書類、本あるいは仕事や作業に必要な道具などを十分に収納することができるワゴンを提供することを目的とする。
【課題を解決するための手段】
【０００８】
請求項１に記載の発明は、移動手段が取り付けられているワゴンであって、一方側に開放するとともに開放した方向に対して略垂直方向に貫通し、机の一部が挿入される空間部が形成されていることを特徴とする。
【０００９】
請求項１に記載の発明によれば、ワゴンには一方側に開放するとともに開放した方向に対して略垂直方向に貫通する空間部が形成されているため、この空間部が開放する側から机の一部（例えば、天板）を空間部に挿入することができる。このため、ユーザは、ワゴンの空間部に机の一部を挿入した状態でワゴンを机の下方に収納することができる。この結果、ワゴンが机から大きくはみ出すことがないため、ワゴンがユーザの仕事や作業の邪魔になってしまうことがない。また、空間部は開放した方向に対して略垂直方向に貫通しているため、空間部に物品を収納した場合でも、空間部の貫通した部位からその物品を容易に取り出すことができる。
【００１０】
請求項２に記載の発明は、請求項１に記載のワゴンにおいて、前記空間部は、物品を支持する支持部により区画形成されていることを特徴とする。
【００１１】
請求項２に記載の発明によれば、空間部は物品を支持する支持部により区画形成されていることにより、支持部に空間部を形成することができるとともに、物品を支持部に支持させることができる。これにより、ワゴンを机の下方に収納し、机の一部が空間部に挿入された状態で、必要な物品を支持部に載せることができる。この結果、ユーザにとっては容易に物品を手にとることができるため、仕事や作業の効率を上げることができる。
【００１２】
請求項３に記載の発明は、請求項１又は２に記載のワゴンにおいて、物品を収納し、前記空間部の開放側と反対側に引き出される引出し部が設けられていることを特徴とする。
【００１３】
請求項３に記載の発明によれば、物品を収納し空間部の開放側と反対側に引き出される引出し部が設けられていることにより、この引出し部に必要な物品を収納することができる。特に、引出し部は空間部の開放側と反対側に引き出されるため、ワゴンを机の下方に収納した状態で、引出し部を容易に引き出すことができる。
【００１４】
請求項４に記載の発明は、請求項３に記載のワゴンにおいて、前記引出し部は、本体部に設けられており、前記支持部は、前記空間部の開放側と反対側に位置する前記本体部から上方に向かって略垂直に延在する第１延在部と、前記第１延在部の先端部又はその近傍から前記空間部の開放側に向かってかつ前記第１延在部の延在方向に対して略直交するように延在する第２延在部と、で構成されていることを特徴とする。
【００１５】
請求項４に記載の発明によれば、空間部は、本体部と、第１延在部と、第２延在部と、で区画形成されており、第２延在部が第１延在部の先端部又はその近傍から空間部の開放側に向かってかつ第１延在部の延在方向に対して略直交するように延在しているため、空間部の体積を大きくとることができる。このため、空間部に多くの物品を収納させることができる。また、第２延在部が平行に延在していることになるため、この第２延在部上に必要な物品を載せることができる。
【００１６】
請求項５に記載の発明は、請求項４に記載のワゴンにおいて、前記第２延在部の先端部側には、把持可能なハンドルが取り付けられていることを特徴とする。
【００１７】
請求項５に記載の発明によれば、第２延在部の先端部側には把持可能なハンドルが取り付けられているため、このハンドルを把持することによりワゴンの操作性を向上させることができる。特に、ハンドルが第２延在部の先端部側に取り付けられているため、ユーザはこのハンドルを把持した状態でワゴンを机の下にそのまま収納することができる。また、ワゴンを収納した状態においてハンドルがユーザ側から第２延在部の長さに相当する距離だけ離れるため、ハンドルがユーザの目障りになることがなく、さらに仕事や作業の効率に悪影響を与えることもない。
【発明の効果】
【００１８】
本発明によれば、操作性を向上させることができ、机などの下方に収納された場合でも、ワゴンの引出し部以外に、必要書類、本あるいは仕事や作業に必要な道具などを十分に収納することができる。
【発明を実施するための最良の形態】
【００１９】
次に、本発明の一実施形態に係るワゴンについて、図面を参照して説明する。
【００２０】
図１乃至図３に示すように、ワゴン１０は、箱状の本体部１２を備えている。この本体部１２の前方側（図２及び図３中矢印Ｆ方向側）には、２段になった引出し部１４がそれぞれ収納されている。この引出し部１４は、本体部１２に対して前方側に引き出されるとともに、後方側（図２及び図３中矢印Ｒ方向側）に押されることにより本体部１２に収納される。このように、引出し部１４は、後述の空間部２２の開放側（図２及び図３中矢印Ｒ方向側）と反対側（図２及び図３中矢印Ｆ方向側）に引き出されるようになっている。また、各引出し部１４の内部には、書類や筆記用具など仕事や作業に必要な物品が収納されている。
【００２１】
また、本体部１２の底面部には、４つのキャスタ１６が取り付けられている。各キャタ１６は、底面部の各角部側にそれぞれ配置されており、このキャスタ１６によりワゴン１０が自在に移動できるようになっている。
【００２２】
また、本体部１２の上面部は平面状に形成されている。この本体部１２の前方側（図２及び図３中矢印Ｆ方向側）であって上面部上には、上方側（図１及び図３中矢印Ｕ方向側）に向かって略垂直に延びる第１延在部１８が取り付けられている。また、第１延在部１８の先端部又はその近傍には、ワゴン１０の後方側（図１及び図３中矢印Ｒ方向側）に向かってかつ第１延在部１８の延在方向に対して略直交するように延びる第２延在部２０が設けられている。なお、第１延在部１８と第２延在部２０とは、それぞれ一体形成されている。
【００２３】
また、ワゴン１０は、本体部１２の上面部と、第１延在部１８と、第２延在部２０とで囲まれた空間部２２を備えている。すなわち、空間部は第１延在部１８と第２延在部２０とにより区画形成されており、空間部２２の一部は後方側（図２及び図３中矢印Ｒ方向側）に開放するとともに開放した方向に対して略垂直方向（図１及び図２中矢印Ｘ方向）に貫通するように形成されている。
【００２４】
また、第２延在部２０の先端部側には、把持可能なハンドル２４が第２延在部２０の幅方向にわたって取り付けられている。これにより、ユーザがハンドル２４を把持することにより、ワゴン１０を容易に操作することができ、所定の方向に移動させることができる。
【００２５】
次に、本実施形態のワゴン１０の作用について説明する。
【００２６】
図１乃至図３に示すように、ユーザが仕事や作業を行う際には、例えばロッカー（図示省略）に収納されていたワゴン１０をロッカーから取り出す。ユーザがワゴン１０を取り出すと、ワゴン１０のハンドル２４を把持して操作し、ワゴン１０を仕事や作業を行う机２６の所に移動させる。
【００２７】
ワゴン１０を机２６のところまで移動させると、ワゴン１０の本体部１２が机２６の天板２８の下方に収納されるように、ワゴン１０をさらに移動させる。このとき、ワゴン１０に形成された空間部２２の開放側から机２６の天板２８の一部が空間部２２の内部に挿入される。図３に示すように、机２６の天板２８の一部が空間部２２の内部に挿入されると、机２６の天板２８の一部が第２延在部２０の下方に位置するとともに本体部１２の上面部の上方に位置することになる。また、ハンドル２４は、机２６の天板２８の中央側に位置することになる。
【００２８】
このように、ワゴン１０の本体部１２が机２６の天板２８の下方に収納された状態では、ワゴン１０の本体部１２が天板２８の端部から大きく出っ張ってしまうことがなく、ワゴン１０がユーザの仕事や作業に支障をきたすことがない。また、ワゴン１０の本体部１２が机２６の天板２８の下方に収納された状態のままで、各引出し部１４をそのまま引き出すことができるため、必要な書類や道具などの出し入れが容易になる。さらに、空間部２２は開放した方向に対して略垂直方向に貫通しているため、本体部１２の上面部に物品を載置した場合でも、空間部２２の貫通した部位（側面方向）からその物品を容易に取り出すことができる。
【００２９】
また、空間部２２は第１延在部１８と第２延在部２０とにより区画形成されていることにより、空間部２２を容易に形成しその体積を大きくすることができるとともに、物品を第２延在部２０に載せておくことができる。これにより、ワゴン１０を机２６の天板２８の下方に収納し、机２６の天板２８の一部が空間部２２に挿入された状態でも、必要な物品を第２延在部２０に載せることができる。この結果、ユーザにとっては容易に物品を手にとることができるため、仕事や作業の効率を上げることができる。
【００３０】
さらに、第２延在部２０の先端部側にはハンドル２４が取り付けられているため、このハンドル２４を把持することによりワゴン１０の操作性を向上させることができる。特に、ハンドル２４が第２延在部２０の先端部側に取り付けられているため、ユーザはこのハンドル２４を把持した状態でワゴン１０を机２６の天板２８の下にそのまま収納することができる。また、ワゴン１０を収納した状態においてハンドル２４がユーザ側から第２延在部２０の長さに相当する距離以上離れるため、ハンドル２４がユーザの目障りになることがなく、さらに仕事や作業の効率に悪影響を与えることもない。また、ハンドル２４を第２延在部２０の先端部側に取り付けることにより、第２延在部２０に、物品を支持する支持部としての機能の他、ハンドル取付部としての機能も兼備させることができる。これにより、ハンドル２４を取り付ける部材を別途設けた構成と比較して、ワゴン１０の部品点数が少なくなり、ワゴン１０の製造が容易になるとともに、大型化することを抑制できる。
【図面の簡単な説明】
【００３１】
【図１】本発明の一実施形態に係るワゴンの正面図である。
【図２】本発明の一実施形態に係るワゴンの平面図である。
【図３】本発明の一実施形態に係るワゴンの使用形態を示す側面図である。
【符号の説明】
【００３２】
１０    ワゴン
１２    本体部
１４    引出し部
１８    第１延在部（支持部）
２０    第２延在部（支持部）
２２    空間部
２４    ハンドル
【図１】
2007135784.tif 000003
【図２】
2007135784.tif 000004
【図３】
2007135784.tif 000005